(57)【特許請求の範囲】
【請求項１】
無線送信装置における無線チャンネル検索方法において、
無線通信が可能な周波数を分割した各無線チャンネルの状態に基づいて、該無線チャンネルの状態が第１の基準レベルより低いかどうかを判断することにより、未使用無線チャンネルを検索する段階と、
該検索する段階により検索された前記未使用無線チャンネルのリストを保存する段階と、
所定の無線チャネルを通じてマルチメディア信号を伝送する間に、該所定の無線チャンネルに干渉が発生すると判断される場合、前記保存する段階により保存された前記未使用無線チャンネルのうちの一つを通じてマルチメディア信号を伝送する段階と、
前記伝送する段階により前記マルチメディア信号を伝送する無線チャンネルの状態を、予め設定された前記第１の基準レベルよりも高い第２の基準レベルと比較する段階と
を含み、
前記検索する段階では、前記比較する段階により前記マルチメディア信号を伝送する無線チャンネルの状態が前記第２の基準レベルより低いと判断される場合、前記未使用無線チャンネルを検索し、
前記保存する段階では、前記検索する段階により検索された前記未使用無線チャンネルのリストを更新することを特徴とする無線チャンネル検索方法。
【請求項２】
前記マルチメディア信号を伝送する段階では、前記所定の無線チャンネルが別途の無線送受信システムが使用する無線チャンネルと干渉すると判断される場合、前記保存する段階により保存された前記未使用無線チャンネルのリストのうちの一つの未使用無線チャンネルに、前記所定の無線チャンネルを転換して、該転換された未使用無線チャンネルを通じて前記マルチメディア信号を送受信することを特徴とする請求項１に記載の無線チャンネル検索方法。
【請求項３】
前記保存する段階により保存された前記未使用無線チャンネルのリストに未使用無線チャンネルがない場合、未使用無線チャンネルリストを更新することを特徴とする請求項２に記載の無線チャンネル検索方法。
【請求項４】
無線送信装置と無線受信装置とを有する無線送受信システムにおいて、
前記無線送信装置は、
マルチメディア信号を無線送信する送信インターフェース部と、
無線通信が可能な周波数を分割した各無線チャンネルの状態に基づいて、該無線チャンネルの状態が第１の基準レベルより低いかどうかを判断することにより、前記マルチメディア信号を送信できる未使用無線チャンネルを検索する未使用無線チャンネル検索部と、
該未使用無線チャンネル検索部により検索された未使用無線チャンネルリストを保存する未使用無線チャンネル保存部と、
所定の無線チャネルを通じてマルチメディア信号を伝送する間に、該所定の無線チャンネルに干渉が発生すると判断される場合、前記未使用無線チャンネル保存部に保存された未使用無線チャンネルのうちの一つの未使用無線チャンネルを通じて前記マルチメディア信号を送信するように前記送信インターフェース部を制御する送信制御部と
を有し、
前記送信制御部は、前記マルチメディア信号を送信する無線チャンネルの状態を、予め設定された前記第１の基準レベルよりも高い第２の基準レベルと比較し、
前記未使用無線チャンネル検索部は、前記送信制御部により前記マルチメディア信号を送信する無線チャンネルの状態が前記第２の基準レベルより低いと判断される場合、前記未使用無線チャンネルのリストを検索し、
前記未使用無線チャンネル保存部は、前記未使用無線チャンネル検索部により検索された未使用無線チャンネルリストを更新し、
前記無線受信装置は、
前記無線送信装置から前記マルチメディア信号を受信する受信インターフェース部と、
該受信インターフェース部により受信された前記マルチメディア信号を出力する出力部と、
前記マルチメディア信号を出力するように前記出力部を制御する受信制御部と
を有することを特徴とする無線送受信システム。
【請求項５】
前記受信制御部は、前記マルチメディア信号を伝送する無線チャンネルの状態に基づいて、該無線チャンネルの状態が予め設定された基準レベルより低いと判断される場合、前記無線送信装置の未使用無線チャンネルリストを更新させるための所定の通信信号を前記無線送信装置に伝送し、
前記送信制御部は、前記無線受信装置から前記所定の通信信号が受信されると、前記未使用無線チャンネルのリストを更新することを特徴とする請求項４に記載の無線送受信システム。
【請求項６】
前記受信制御部は、前記所定の無線チャンネルが別途の無線送受信システムが使用する無線チャンネルと干渉すると判断される場合、前記無線送信装置の未使用無線チャンネルリストを更新させるための所定の通信信号を前記無線送信装置に伝送し、
前記送信制御部は、前記無線受信装置から所定の通信信号が受信されると、前記未使用無線チャンネルのリストのうちの一つの未使用無線チャンネルに、前記所定の無線チャンネルを転換して、該転換された未使用無線チャンネルを通じて前記マルチメディア信号を送信するように前記送信インターフェース部を制御することを特徴とする請求項４に記載の無線送受信システム。
【請求項７】
前記送信制御部は、前記無線受信装置から所定の通信信号が受信される場合、前記未使用無線チャンネルのリストに保存された未使用無線チャンネルがなければ、前記未使用無線チャンネルリストを更新することを特徴とする請求項６に記載の無線送受信システム。
【請求項８】
無線送信装置において、
マルチメディア信号を無線送信する送信インターフェース部と、
無線通信が可能な周波数を分割した各無線チャンネルの状態に基づいて、該無線チャンネルの状態が第１の基準レベルより低いかどうかを判断することにより、前記マルチメディア信号を送信できる未使用線チャンネルを検索する未使用無線チャンネル検索部と、
該未使用無線チャンネル検索部により検索された未使用無線チャンネルリストを保存する未使用無線チャンネル保存部と、
所定の無線チャネルを通じてマルチメディア信号を伝送する間に、該所定の無線チャンネルに干渉が発生すると判断される場合、前記未使用無線チャンネル保存部に保存された未使用無線チャンネルのうちの一つの未使用無線チャンネルを通じて前記マルチメディア信号を送信するように前記送信インターフェース部を制御する送信制御部と
を含み、
前記送信制御部は、前記マルチメディア信号を送信する無線チャンネルの状態を、予め設定された前記第１の基準レベルよりも高い第２の基準レベルと比較し、
前記未使用無線チャンネル検索部は、前記送信制御部により前記マルチメディア信号を送信する無線チャンネルの状態が前記第２の基準レベルより低いと判断される場合、前記未使用無線チャンネルのリストを検索し、
前記未使用無線チャンネル保存部は、前記未使用無線チャンネル検索部により検索された未使用無線チャンネルリストを更新することを特徴とする無線送信装置。
【発明の詳細な説明】
【技術分野】
【０００１】
本発明は無線チャンネル検索方法、無線送受信システムおよび無線送信装置に係わり、より詳しくは、無線マルチメディア信号が送受信される無線周波数、即ち、無線チャンネルを転換することができる無線チャンネル検索方法、無線送受信システムおよび無線送信装置に関する。
【背景技術】
【０００２】
近来に入って、制限された空間内で各種機器がラインを利用せず無線で通信して動作する無線送受信システムがますます広く使用されている。このような無線送受信システムは所定の無線周波数、即ち、無線チャンネルを通じて所定のマルチメディア信号を送受信する。
【０００３】
この時、無線チャンネルは限定されており、無線送受信システムが既に使用している無線チャンネルを他の電子機器が使用したり、隣接した無線チャンネルの使用などによって干渉が起す問題が発生することがある。
【０００４】
従来の無線送受信システムは、所定の無線伝送チャンネルを通じてマルチメディアを送受信する間に無線伝送チャンネルに干渉が発生すると、無線チャンネルを確認して未使用チャンネルを検索した。
【０００５】
このような従来の無線送受信システムがＴＶなどのようにリアルタイムでマルチメディア信号を送受信する場合、伝送可能な無線チャンネルを検索する間に画面が非正常に表示される問題点がある。
【発明の開示】
【発明が解決しようとする課題】
【０００６】
したがって、本発明の目的は、無線伝送チャンネルに干渉が発生する場合、速かに他の使用可能なチャンネルに無線伝送チャンネルを転換することができる無線チャンネル検索方法、無線送受信システムおよび無線送信装置を提供することにある。
【課題を解決するための手段】
【０００７】
前記目的は、本発明によって、無線チャンネル検索方法において、未使用無線チャンネルを検索する段階と；検索された前記未使用無線チャンネルのリストを保存する段階と；前記未使用無線チャンネルのうちの一つを通じてマルチメディア信号を送受信する段階とを含むことを特徴とする無線チャンネル検索方法によって達成される。
【０００８】
ここで、前記マルチメディア信号の伝送量を予め設定された基準レベルと比較する段階と；前記マルチメディア信号の伝送量が前記基準レベルより低いと判断される場合、前記未使用無線チャンネルのリストを更新する段階とをさらに含むことができる。
【０００９】
そして、前記マルチメディア信号を送受信する無線チャンネルが別途の無線チャンネルと干渉が発生すると判断される場合、前記未使用無線チャンネルのリストのうちの一つのチャンネルに前記無線チャンネルを転換して、転換された前記無線チャンネルを通じて前記マルチメディア信号を送受信する段階をさらに含むことができる。
【００１０】
また、前記マルチメディア信号を受信するチャンネルが別途のチャンネルと干渉が発生すると判断される場合、前記未使用無線チャンネルのリストに保存された前記無線チャンネルがなければ、前記未使用無線チャンネルリストを更新することができる。
【００１１】
一方、前記目的は、本発明によって、無線送信装置と無線受信装置を有する無線送受信システムにおいて、無線でマルチメディア信号を送信する送信インターフェース部と、前記マルチメディア信号を送信できる無線チャンネルを検索して未使用無線チャンネルリストを保存し、前記未使用無線チャンネルリストのうちの一つの前記無線チャンネルを通じて前記マルチメディア信号を送信するように前記送信インターフェース部を制御する送信制御部とを有する無線送信装置と；前記無線送信装置から前記マルチメディア信号を受信する受信インターフェース部と、前記マルチメディア信号を出力する出力部と、前記マルチメディア信号を出力するように前記出力部を制御する受信制御部とを有する無線受信装置とを含むことを特徴とする無線送受信システムによって達成される。
【００１２】
ここで、前記受信制御部は、前記マルチメディア信号の伝送量が予め設定された基準レベルより低いと判断される場合、所定の通信信号を前記無線送信装置に伝送し、前記送信制御部は、前記通信信号が受信されると、前記未使用無線チャンネルのリストを更新することができる。
【００１３】
そして、前記送信制御部は、前記マルチメディア信号の伝送量が予め設定された基準レベルより低いと判断される場合、前記未使用無線チャンネルのリストを更新することができる。
【００１４】
また、前記受信制御部は、前記マルチメディア信号を送受信する無線チャンネルが別途の無線チャンネルと干渉が発生すると判断される場合、所定の通信信号を前記無線送信装置に伝送し、前記送信制御部は、前記通信信号が受信されると、前記未使用無線チャンネルのリストのうちの一つのチャンネルに前記無線チャンネルを転換して、転換された前記無線チャンネルを通じて前記マルチメディア信号を送信するように前記送信インターフェース部を制御することができる。
【００１５】
ここで、前記送信制御部は、前記通信信号が受信される場合、前記未使用無線チャンネルのリストに保存された前記無線チャンネルがなければ、前記未使用無線チャンネルリストを更新することができる。
【００１６】
ここで、前記送信制御部は、前記マルチメディア信号を送受信する前記無線チャンネルが別途の無線チャンネルと干渉が発生すると判断される場合、前記未使用無線チャンネルのリストのうちの一つのチャンネルに前記無線チャンネルを転換して、転換された前記無線チャンネルを通じて前記マルチメディア信号を送信するように前記送信インターフェース部を制御することができる。
【００１７】
そして、前記送信制御部は、前記干渉が発生すると判断される場合、前記未使用無線チャンネルのリストに保存された前記無線チャンネルがなければ、前記未使用無線チャンネルリストを更新することができる。
【００１８】
一方、前記目的は、本発明によって、無線送信装置において、無線でマルチメディア信号を送信する送信インターフェース部と；前記マルチメディア信号を送信できる無線チャンネルを検索して未使用無線チャンネルリストを保存し、前記未使用無線チャンネルリストのうちの一つの前記無線チャンネルを通じて前記マルチメディア信号を送信するように前記送信インターフェース部を制御する送信制御部とを含むことを特徴とする無線送信装置によって達成される。
【００１９】
そして、前記送信制御部は、前記マルチメディア信号の伝送量が予め設定された基準レベルより低いと判断される場合、前記未使用無線チャンネルのリストを更新することができる。
【発明の効果】
【００２０】
本発明によれば、無線伝送チャンネルに干渉が発生する場合、速かに他の使用可能なチャンネルに無線伝送チャンネルを転換することができる無線チャンネル検索方法、無線送受信システムおよび無線送信装置が提供される。
【発明を実施するための最良の形態】
【００２１】
以下、添付図面を参照して本発明について詳しく説明する。
【００２２】
図１に示されているように、本発明による無線送受信システムは、マルチメディア信号を送信するための無線送信装置１００と、無線送信装置１００から出力されたマルチメディア信号を受信する無線受信装置２００とを含む。
【００２３】
無線送受信システムは無線でマルチメディア信号を送受信する装置であって、例えば、マルチメディア信号を受信するチュ−ナ−と受信されたマルチメディア信号を表示するディスプレイ部２５０とが互いに無線でマルチメディア信号を送受信するディスプレイシステム、モバイルフォンとモバイルフォンからマルチメディア信号を受信するイヤホンとが互いに無線でマルチメディア信号を送受信するモバイルフォンシステム、コンピュータとコンピュータからマルチメディア信号を受信するスピーカとが互いに無線でマルチメディア信号を送受信するコンピュータシステムなど多様な機器を含むことができる。つまり、無線でマルチメディア信号を送受信することができるものであれば、無線送受信システムの構成は限られない。
【００２４】
以下では、説明の便宜のために無線送受信システムがディスプレイシステムであることを一例として説明する。
【００２５】
本発明によるディスプレイシステムは前述のように、無線送信装置１００と無線受信装置２００とを含む。
【００２６】
無線送信装置１００は、所定のマルチメディア信号が入力される信号入力部１１０と、入力されたマルチメディア信号のうちの無線受信装置２００に出力されるマルチメディア信号を出力する信号選択部１３０と、マルチメディア信号を出力する送信インターフェース部１５０と、これらを制御する送信制御部１７０とを含む。
【００２７】
信号入力部１１０は、多様なフォーマットの映像信号が入力可能なように多様な映像信号フォーマットに対応する端子を含むことができる。つまり、信号入力部１１０は、コンポジット信号を受信するためのコンポジット入力端子１１と、Ｓ−ビデオ信号を受信するためのＳ−ビデオ入力端子１３と、コンポーネント信号を受信するためのコンポーネント入力端子１５と、ＰＣ信号を受信するためのＰＣ入力端子１７と、ＴＶ信号を受信するためのＴＶ入力端子１９等多様な入力端子を含むことができる。
【００２８】
ここで、信号入力部１１０はチュ−ナ−を含んで、放送局から転送されたＴＶ信号を選局することもできる。
【００２９】
信号選択部１３０は、信号入力部１１０に設けられた複数の入力端子を通じて入力された複数のマルチメディア信号のうち、後述する出力部、例えば、ディスプレイ部２５０を通じて出力されるマルチメディア信号を選択する。この時、信号選択部１３０は複数の入力のうちの一つを出力するように構成されたマルチプレクサーであるのが好ましいが、その構成は制限されない。
【００３０】
送信インターフェース部１５０は、無線受信装置２００にマルチメディア信号を出力し、後述する受信インターフェース部２１０と所定の通信信号を送受信することもできる。ここで、送信インターフェース部１５０は、ＲＦ通信、ブルートゥース通信などの通信方法を通じて受信インターフェース部２１０と無線で通信することができる。
【００３１】
送信制御部１７０は、複数のマルチメディア信号のうちの一つを選択するように信号選択部１３０を制御することができる。この時、送信制御部１７０は、所定プログラムによって信号選択部１３０を制御することもできるが、使用者入力部（図示せず）を通じた選択信号によって信号選択部１３０を制御することが好ましい。
【００３２】
送信制御部１７０は、所定の無線チャンネルを通じてマルチメディア信号を出力するように送信インターフェース部１５０を制御する。この時、送信制御部１７０は使用可能な全ての無線チャンネルのうち、他の装置が使用していない無線チャンネルを検索して、検索の結果として未使用の無線チャンネルのうちの一つを通じてマルチメディア信号を伝送することができる。
【００３３】
例えば、無線通信が可能な周波数が０〜２００ＭＨｚであり、無線通信のために一チャンネル当り２０ＭＨｚが割り当てられる場合、０〜２０ＭＨｚ、２０〜４０ＭＨｚ、４０〜６０ＭＨｚなど総１０個の無線チャンネルが割り当てられる。
【００３４】
この場合、送信制御部１７０は各無線チャンネルの状態を判断して、別途の無線送受信システムが無線チャンネルを使用して通信するか否かを判断することができる。例えば、送信制御部１７０は無線チャンネルを通じて送受信されるマルチメディア信号の伝送量を判断して、マルチメディア信号の伝送量が所定基準レベルより大きいと、別途の無線送受信システムが該当無線チャンネルを使用していると判断する。ここで、これによって、送信制御部１７０はそれぞれの無線チャンネルを使用するか否かを判断して、未使用の無線チャンネルのリストを保存する。
【００３５】
この時、未使用無線チャンネルであっても、隣接する無線チャンネルと干渉が発生してマルチメディア信号にエラーが発生する恐れがあるので、これを考慮して前述の基準レベルを調節することもできる。
【００３６】
送信制御部１７０は、無線チャンネルを通じてマルチメディア信号を伝送する間、マルチメディア信号の伝送量を前述の基準レベルより高い予め設定された伝送レベルと比較することができる。この時、送信制御部１７０は、マルチメディア信号の伝送量が予め設定された伝送レベルより低いと、未使用無線チャンネルを再検索して未使用無線チャンネルのリストを更新することができる。
【００３７】
送信制御部１７０は、マルチメディア信号を送信する無線伝送チャンネルに干渉が発生すると判断される場合、保存された未使用無線チャンネルのリストのうちの一つの無線チャンネルに無線伝送チャンネルを転換し、転換された無線伝送チャンネルを通じてマルチメディア信号を無線受信装置２００に出力するように送信インターフェース部１５０を制御することができる。ここで、無線伝送チャンネルを通じて他の機器が通信を試みること、または隣接した無線チャンネルとの干渉などによるノイズを全て干渉と定義する。
【００３８】
送信制御部１７０は、マルチメディア信号を送信する無線伝送チャンネルの干渉が発生すると判断される場合、未使用無線チャンネルのリストを検索する。その結果、リストが保存されていないか、リストに使用可能な無線チャンネルがない場合、再び無線チャンネルを検索して、検索結果によって未使用無線チャンネルのリストを保存することができる。そして、送信制御部１７０は、保存された未使用無線チャンネルのリストのうちの一つのチャンネルを通じてマルチメディア信号を送信するように送信インターフェース部１５０を制御することができる。
【００３９】
無線受信装置２００は、無線送信装置１００の送信インターフェース部１５０からマルチメディア信号を受信する受信インターフェース部２１０と、受信されたマルチメディア信号を処理する信号処理部２３０と、信号処理部２３０で処理されたマルチメディア信号を出力する出力部と、これらを制御する受信制御部２７０とを含む。
【００４０】
受信インターフェース部２１０は、送信インターフェース部１５０からマルチメディア信号を受信する。また、受信インターフェース部２１０は、送信インターフェース部１５０と通信し、所定の通信信号を送受信する。
【００４１】
信号処理部２３０は、マルチメディア信号が出力部から出力可能なように処理する。この時、信号処理部２３０は、マルチメディア信号の種類によって、マルチメディア信号がオーディオ信号を含めばオーディオ処理部を含むことができて、映像信号を含めば映像信号処理部を含むことができる。
【００４２】
出力部は、信号処理部２３０で処理された信号を出力する。ここで、無線受信装置２００がディスプレイ装置の場合、出力部はディスプレイ部２５０を含み、オーディオ出力装置の場合、出力部はスピーカ、イヤホンなどを多様に含むことができる。前述のように、以下では出力部がディスプレイ部２５０を含むものを一例に説明する。
【００４３】
受信制御部２７０は、無線送信装置１００から受信されたマルチメディア信号が受信されると、マルチメディア信号をディスプレイ部２５０に表示するように各部を制御する。
【００４４】
一方、受信制御部２７０は、前述の送信制御部１７０のように、未受信無線チャンネルのリストを検索してこれを保存することができる。また、受信制御部２７０は、前述の送信制御部１７０のように受信されるマルチメディア信号の伝送量を判断して、伝送量が所定基準レベルより低い場合、未受信無線チャンネルのリストを更新することができる。また、受信制御部２７０は無線伝送チャンネルの干渉が発生するか否かを判断することができ、これによって無線伝送チャンネルを転換したり、未受信無線チャンネルのリストを更新することもできる。このように、受信制御部２７０と送信制御部１７０のうちの少なくとも一つは前述のそれぞれの動作を行うことができる。つまり、前述の実施形態でそれぞれの動作を送信制御部１７０が行うことができるといったが、受信制御部２７０が代わりに行うこともできる。
【００４５】
例えば、送信制御部１７０は未使用無線チャンネルのリストを保存し、受信制御部２７０は無線伝送チャンネルを通じて受信されるマルチメディア信号の伝送量を判断して、伝送量が所定基準レベルより低い場合、無線送信装置１００に伝送量が基準レベルより低いという情報を含む通信信号を出力することができる。この時、送信制御部１７０は、通信信号が受信されると、未使用無線チャンネルのリストを更新することができる。
【００４６】
また、受信制御部２７０は、所定の干渉が発生すると判断される場合、送信インターフェース部１５０に干渉が発生するという情報を含む通信信号を出力することができる。送信制御部１７０は、通信信号が入力されると、無線伝送チャンネルを転換したり、未使用無線チャンネルのリストを更新するなどの動作を行うこともできる。ここで、受信制御部２７０は、受信されるマルチメディア信号のヘッダ情報、信号ノイズ比（ＳＮＲ）等を通じて所定の干渉が発生するか判断することができる。
【００４７】
このように、前述のそれぞれの動作は受信制御部２７０と送信制御部１７０のうちの少なくとも一つで判断して動作するように設計されることができ、これはプログラマーが自由に選択することができる。
【００４８】
図２に示されているように、送信インターフェース部１５０と受信インターフェース部２１０は無線伝送チャンネルを通じて所定の帯域幅範囲で信号を送受信することができる。
【００４９】
この時、マルチメディア信号は常に同一な量で転送されず、所定範囲内で変動するようになる。したがって、帯域幅とマルチメディア信号の伝送量の差に該当するだけ無線伝送チャンネルを通じてデータが送受信されることができる。
【００５０】
これによって、送信制御部１７０と受信制御部２７０のうちの少なくとも一つはマルチメディア信号の伝送量が基準レベルＴより低いか否かを判断して、伝送量が基準レベルより低くなる地点（ｔ１〜ｔ２、ｔ３〜ｔ４、ｔ５〜ｔ６）に未使用無線チャンネルのリストを更新することができる。
【００５１】
図３に示されているように、本発明による無線送受信システムは使用可能な無線チャンネルを検索する（Ｓ１１）。検索結果、別途の無線送受信システムが使用していない未使用無線チャンネルのリストを保存する（Ｓ１２）。そして、無線送受信システムは未使用無線チャンネルのうちの一つを無線伝送チャンネルとして選択し、選択した無線伝送チャンネルにマルチメディア信号を送受信する（Ｓ１３）。
【００５２】
ここで、無線送受信システムは、マルチメディア信号の伝送量が基準レベルＴより低くなると（Ｓ１５）、未使用無線チャンネルのリストを更新することができる（Ｓ１７）。
【００５３】
一方、無線送受信システムは、マルチメディア信号が送受信される無線伝送チャンネルと別途の無線チャンネルとの干渉、または外部雑音などが発生する場合（Ｓ２１）、未使用無線チャンネルリストに所定のチャンネルが保存されているか判断する（Ｓ２３）。判断の結果、使用可能な無線チャンネルが保存されていると、無線送受信システムは無線伝送チャンネルを転換して、転換された無線伝送チャンネルを通じてマルチメディア信号を送受信する。または、使用可能な無線チャンネルが保存されていないと、未使用無線チャンネルのリストを更新し（Ｓ２５）、更新された未使用無線チャンネルのリストのうちの一つのチャンネルを選択して無線伝送チャンネルを転換する（Ｓ２７）。
【００５４】
前述の実施形態で、無線送信装置１００は外部で認可されたマルチメディア信号の入力端子のみを説明した。しかし、無線送信装置１００に信号処理部２３０が設けられて、入力端子を通じて入力されたマルチメディア信号をディスプレイ部２５０が表示可能なように処理することもできる。
【００５５】
前述のように、本発明による無線送受信システムは未使用無線チャンネルのリストを保存することによって、無線伝送チャンネルに干渉が発生する場合、従来の無線送受信システムと異なり、伝送可能な無線伝送チャンネルを検索する必要無しに迅速に未使用無線チャンネルのリストに保存されたチャンネルに無線伝送チャンネルを転換することができる。
【００５６】
また、無線送受信システムは、信号伝送量が少ない場合、未使用無線チャンネルのリストを効率的に更新することができる。
【００５７】
以上、本発明のいくつかの実施形態が図示されて説明されたが、本発明の属する技術分野における通常の知識を有する当業者であれば、本発明の原則や精神から外れず本実施形態を変形できることが分かる。そして、発明の範囲は添付された請求項とその均等物によって決められる。
【図面の簡単な説明】
【００５８】
【図１】本発明による無線送受信システムの制御ブロック図である。
【図２】本発明による無線マルチメディア信号の伝送量を示した図である。
【図３】本発明による無線送受信システムの制御フローチャートである。
【符号の説明】
【００５９】
１１    コンポジット入力端子
１３    Ｓ−ビデオ入力端子
１５    コンポーネント入力端子
１７    ＰＣ入力端子
１９    ＴＶ入力端子
１００  無線送信装置
１１０  信号入力部
１３０  信号選択部
１５０  送信インターフェース
１７０  送信制御部
２００  無線受信装置
２１０  受信インターフェース
２３０  信号処理部
２５０  ディスプレイ部
２７０  受信制御部
【図１】
0004616219.tif 000002
【図２】
0004616219.tif 000003
【図３】
0004616219.tif 000004